(57)【要約】      （修正有）【課題】本考案は、狭い空間に制限されず、汎用性が高いインターフェースカード変換装置の構造を提供する。【解決手段】主に、外フレームと、伝送伝導体２と、コネクタ３と、固定部品４と、からなり、その内、伝送伝導体２は外フレーム内に収容され、且つ伝送伝導体２は第一接触部２１及び第二接触部２２を備え、コネクタ３は、第一接触部２１の予め定められた位置に選択的に電気的に接続され、さらに固定部品４によって固定を行う。これにより、外部コネクタの挿込み位置を変えたい時、外フレーム及びインターフェースカードを固定させ、さらにコネクタ３によってインターフェースカードコネクタに挿し込んだ後、固定部品４によってその第一接触部２１に互いに固定させ、この時、外部コネクタを第二接触部２２に挿し込むことによって、挿込み方向を変えることができるという利点がある。【選択図】図２
0003212913.tif 000002
【実用新案登録請求の範囲】
【請求項１】
一つの外フレームと、少なくとも一つの伝送伝導体と、少なくとも一つのコネクタと、少なくとも一つの固定部品と、からなるインターフェースカード変換装置の構造であって、
前記外フレームは、インターフェースカードに接合され、
前記伝送伝導体は、前記外フレーム内に収容されるとともに、少なくとも一つの第一接触部と、前記第一接触部の反対に位置する少なくとも一つの第二接触部と、を備え、
前記コネクタは、前記第一接触部の予め定められた位置に選択的に電気的に接続され、
前記固定部品は、前記コネクタの位置を固定させることを特徴とする、インターフェースカード変換装置の構造。
【請求項２】
前記外フレームは、前記第二接触部を収容させる少なくとも一つの挿込みスロットを備えることを特徴とする、請求項１に記載のインターフェースカード変換装置の構造。
【請求項３】
前記外フレームは、複数の支え仕切り部を備えることを特徴とする、請求項１に記載のインターフェースカード変換装置の構造。
【請求項４】
前記外フレームは、前記固定部品を通すのに設けられる少なくとも一つの穿孔を備えることを特徴とする、請求項１に記載のインターフェースカード変換装置の構造。
【請求項５】
前記コネクタは、一つのインターフェースカードコネクタと互いに挿し込む一つの挿込み部と、前記第一接触部と電気的に接続された複数の導通部と、を備えることを特徴とする、請求項１に記載のインターフェースカード変換装置の構造。
【請求項６】
前記外フレームの内側に一つのカバーが設けられ、前記カバーに前記導通部を通すのに設けられる少なくとも一つのビアホールを備えることを特徴とする、請求項５に記載のインターフェースカード変換装置の構造。
【請求項７】
前記外フレームは、一つの上外フレームと、前記上外フレームに接合された一つの下外フレームと、を備えることを特徴とする、請求項１に記載のインターフェースカード変換装置の構造。
【考案の詳細な説明】
【技術分野】
【０００１】
本考案は、インターフェースカード変換装置に関し、特に、特定の位置に限られずに、外部コネクタの挿込み位置を変えることができるインターフェースカード変換装置の構造に関する。
【背景技術】
【０００２】
現在コンピューター内部は、中央処理装置及び記憶装置が情報処理の中枢を担うだけでなく、各種周辺装置（スピーカー、スクリーン、データカード、サウンドカードまたはグラフィックカードなど）も、コンピューターが情報送信及びコントロールを行う重要な部分であり、それゆえに、パーソナルコンピューターの拡張スロットにおいて、様々なインターフェースカードをさらに装着することによって、周辺装置及びコンピューターを、情報送信し、且つ拡張する用途として用いることができる。例えば、インターフェースカード（ＰＣＩ  Ｃａｒｄ）、インダストリー・スタンダード・アーキテクチャカード（ＩＳＡ  Ｃａｒｄ）などの周辺装置に接続させることができる。その内、グラフィックインターフェースカード（Ｖｉｄｅｏ  ｃａｒｄ、Ｇｒａｐｈｉｃｓｃａｒｄ）を簡単にグラフィックカードという。グラフィックカードがコンピューターのマザーボードに差し込まれている時、空間の位置や大きさの関係で、外部電源に接続する時、周囲のインターフェースカードと互いに引っ掛かってしまうという現象が頻繁に生じる。簡単に言うと、外部電源を差し込むための空間が足りず、もし無理に押し込んで電源ラインが折れ曲がった場合、電源ラインが断線したり、コネクタから外れたりしてしまうなどの問題を招く。
【考案の概要】
【考案が解決しようとする課題】
【０００３】
本考案は、伝送伝導体の設計を工夫し、外部コネクタを挿し込むインターフェースカードコネクタの位置を変え、挿し込み位置を変えることで、狭い空間において、電気的導通をさせやすくなするという利点を達成することを目的とする。
【０００４】
本考案は、外部コネクタの挿込み位置を変えることによって、全体としてさらに配線に余裕を持たせ、線の方向をさらに統一させ、またそれに対応して、配線がさらに統一性を有するため、全体として見栄えをよくすることを、もう一つの主な目的とする。
【課題を解決するための手段】
【０００５】
上記の目的を達成することができる本考案の主な構造は、一つの外フレームと、伝送伝導体と、からなり、前記外フレームはインターフェースカードに接合され、前記伝送伝導体は外フレーム内に収容されるとともに、第一接触部と、第一接触部と異なる所に位置する第二接触部と、を備え、第一接触部は少なくとも一つのコネクタを接触導通させる。コネクタは必要に応じて自由に第一接触部に設けることができ、位置を選定した後、少なくとも一つの固定部品を用いてコネクタ及び第一接触部を固定させることができ、これによって、外部コネクタをインターフェースカードコネクタに挿し込みにくい場合、インターフェースカードに外フレームを設け、且つコネクタ及びインターフェースカードコネクタを互いに挿し込み、この時伝送伝導体によって信号または電源を異なる位置に変換できる。簡単に言うと、第一接触部及び第二接触部を設ける位置が異なるため、外部コネクタを第二接触部によって挿込みを行い、インターフェースカードとの間で導通をさせることができる。
【考案の効果】
【０００６】
上記技術によって、従来の技術に存在した、コンピューターのマザーボードに挿し込む時、空間の位置や大きさの関係で、外部電源に接続した時、周囲のインターフェースカードに互いに引っ掛かるという、頻繁に発生する問題を解決でき、本考案の上記のような利点を備えた実用性及び進歩性を実現することができる。
【図面の簡単な説明】
【０００７】
【図１】本考案の好ましい実施例の立体図である。
【図２】本考案の好ましい実施例の分解図である。
【図３】本考案の好ましい実施例の内インターフェースカードを接合した状態を示す概略図である。
【図４】本考案の好ましい実施例の内第二接触部に挿し込んだ状態を示す概略図である。
【考案を実施するための形態】
【０００８】
図１及び図２を参照する。図１及び図２は、本考案の好ましい実施例の立体図及び分解図である。図からはっきり分かるように、本考案が提供するインターフェースカード変換装置の主な構造は、一つの外フレーム１と、少なくとも一つの伝送伝導体２と、少なくとも一つのコネクタ３と、少なくとも一つの固定部品４と、一つのカバー５と、からなる。
【０００９】
前記外フレーム１は、インターフェースカードに接合されるとともに、一つの上外フレーム１０と、上外フレーム１０に接合された一つの下外フレーム１１と、によって形成される。前記外フレーム１は、後述の第二接触部２２を収容させる少なくとも一つの挿込みスロット１２と、複数の支え仕切り部１３と、後述の固定部品４を通すのに設けられる少なくとも一つの穿孔１４と、を備える。
【００１０】
前記伝送伝導体２は、前記外フレーム１内に収容される。また前記伝送伝導体２は、少なくとも一つの第一接触部２１と、前記第一接触部２１の反対に位置する少なくとも一つの第二接触部２２と、を備える。
【００１１】
前記コネクタ３は、前記第一接触部２１の予め定められた位置に選択的に電気的に接続される。また前記コネクタ３は、一つのインターフェースカードと互いに挿し込ませる一つの挿込み部３１と、複数の前記第一接触部２１と電気的に接続された導通部３２と、を備える。
【００１２】
前記固定部品４は、前記コネクタ３の位置を固定させる。
【００１３】
前記カバー５は、外フレーム１の内側に設けられる。前記カバー５には前記導通部３２を通すのに設けられる少なくとも一つのビアホール５１を備える。
【００１４】
その外に、注目すべき点は、本実施例において伝送伝導体が二つあり、上下二つの伝送伝導体は支え仕切り部によって仕切られているため、短絡の問題が生じるのを防ぐことができる。
【００１５】
図１、図２、図３、及び図４を同時に参照する。図１、図２、図３、及び図４は、本考案のうち好ましい実施例の立体図、分解図、インターフェースカードを接合した状態を示す概略図、及び第二接触部に挿込んだ状態を示す概略図である。図からはっきり分かるように、使用者が外部コネクタ６をインターフェースカードコネクタ７１に挿し込みたい時、挿込み作業の空間が小さ過ぎて不足する場合に、外部コネクタ６を収納したい時、外フレーム１及びインターフェースカード７の側辺を接合させるとともに、同時にコネクタ３の挿込み部３１もまたインターフェースカードコネクタ７１にそれぞれ挿し込み、電気的導通をさせることができる。これにより、挿込み部３１と、導通部３２と、第一接触部２１との経路によって、インターフェースカードコネクタ７１の信号を第二接触部２２にまで伝えることができる。さらに、インターフェースカード７の各インターフェースカードコネクタ７１間の距離の規格は異なるため、コネクタ３をインターフェースカードコネクタ７１の位置に対応するように移動させることができ、位置が確定してから固定部品４を用いて穿孔１４（穿孔１４は長方形の穿孔１４である）に通すとともに、固定型または支持型の方式を用いて、コネクタ３の導通部３２をしっかりと第一接触部２１と電気的に接続させ、同時に固定状態にする。それから、外部コネクタ６を挿込みスロット１２内に挿し込むとともに、第二接触部２２と導通状態を生じさせることで、挿込み位置を変換させることができるという利点がある。
【００１６】
すべての図を参照する。本考案を使用する時、従来の技術と比較すると、以下のような利点がある。
【００１７】
一番目に、伝送伝導体２の設計を工夫して、外部コネクタ６をインターフェースカードコネクタ７１に挿し込む位置を変えることによって、比較的狭い空間において、電気的導通をさせやすくなるという利点がある。
【００１８】
二番目に、外部コネクタ６の挿込み位置を変えることによって、その配線全体にさらに余裕を持たせ、ラインの方向をさらに一致させ、且つ対応して、配線が更に一致しているので、全体として見栄えをよくすることができる。
【符号の説明】
【００１９】
１    外フレーム
１０  上外フレーム
１１  下外フレーム
１２  挿込みスロット
１３  支え仕切り部
１４  穿孔
２    伝送伝導体
２１  第一接触部
２２  第二接触部
３    コネクタ
３１  挿込み部
３２  導通部
４    固定部品
５    カバー
５１  ビアホール
６    外部コネクタ
７    インターフェースカード
７１  インターフェースカードコネクタ
【図１】
0003212913.tif 000003
【図２】
0003212913.tif 000004
【図３】
0003212913.tif 000005
【図４】
0003212913.tif 000006